(57)【要約】【課題】飛翔力の異なる各種のボールを用いてバラエティに富んだトレーニングを実行可能で、かつ狭い場所でも、十分な打撃トレーニングを行うことができるトレーニング用具を提供する。【解決手段】球吊設ロッド２の先方側には、弾性ストリング５の引き出し・引き戻しに伴って車輪が回転するように弾性ストリング５が掛けられる滑車１２Ｄと、この滑車１２Ｄより基方側に位置していると共に弾性ストリング５を通してから反転させることにより弾性ストリング５が折り返されるように、この弾性ストリング５が掛けられる折り返し用環状体１２Ｆとが設置されている。折り返し用環状体１２Ｆと滑車１２Ｄとの間に案内用環状体１２Ｅが設置されていて、弾性ストリング５が滑車１２Ｄから案内用環状体１２Ｅを通り抜けて折り返し用環状体１２Ｆへ向かうと共に、折り返し用環状体１２Ｆから案内用環状体１２Ｅを通り抜けて滑車１２Ｄの方へ戻るようになっていて、更に折り返し用環状体１２Ｆと案内用環状体１２Ｅとが球吊設ロッド２の長手方向に位置変更可能になっている。【選択図】    図１
2004187976.tif 000002
【特許請求の範囲】
【請求項１】
打撃対象の球を先方側に吊り下げて保持する球吊設ロッドと、この球吊設ロッドをその基方側で支えて略水平状態で支持する支柱とを有する用具本体を備えたトレーニング用具において、
前記球吊設ロッドには、打球の動きに応じてその先方側から引き出し・引き戻し可能な弾性ストリングが前記球吊設ロッドの長手方向に沿って掛け渡されていると共に、
前記球吊設ロッドの先方側には、前記弾性ストリングの引き出し・引き戻しに伴って車輪が回転するように前記弾性ストリングが掛けられる滑車と、この滑車より基方側に位置していると共に前記弾性ストリングを通してから反転させることにより前記弾性ストリングが折り返されるように、この弾性ストリングが掛けられる折り返し用環状体とが設置されており、
さらに、前記折り返し用環状体と滑車との間に案内用環状体が設置されていて、前記弾性ストリングが前記滑車から前記案内用環状体を通り抜けて前記折り返し用環状体へ向かうと共に、前記折り返し用環状体から前記案内用環状体を通り抜けて前記滑車の方へ戻るようになっていて、更に前記折り返し用環状体と案内用環状体とが前記球吊設ロッドの長手方向に位置変更可能になっていることを特徴とするトレーニング用具。
【請求項２】
前記弾性ストリングは、前記球吊設ロッドの基方側から先方側へ延びてきて、前記滑車で基方側へ反転してから前記折り返し用環状体により先方側へ折り返し、再び前記滑車で反転して前記球吊設ロッドの基方側へ戻るように掛け渡されているのに加えて、前記案内用環状体と折り返し用環状体との間に前記打撃対象の球が吊り下げられている請求項１に記載のトレーニング用具。
【請求項３】
前記滑車は、掛けられる前記弾性ストリング同士が互いに接触しないように、前記弾性ストリング間に隔壁が設けられている請求項１又は２に記載のトレーニング用具。
【請求項４】
前記打撃対象の球は、前記折り返し用環状体と案内用環状体との間の弾性ストリングに捩り戻し機構を介して接続された吊下ストリングに吊り下げられており、この吊下ストリングが長さ方向に接続された弾性材と非弾性材から構成されている請求項１〜３のいずれか１に記載のトレーニング用具。
【請求項５】
前記弾性ストリングが被覆ゴムからなる請求項１〜４のいずれか１に記載のトレーニング用具。
【発明の詳細な説明】
【０００１】
【発明の属する技術分野】
本発明はトレーニング用具に関し、詳しくは、打撃対象の球を先方側に吊り下げて保持する球吊設ロッドと、この球吊設ロッドをその基方側で支えて略水平状態で支持する支柱とを有する用具本体を備えたトレーニング用具に関する。
【０００２】
【従来の技術】
この種のトレーニング用具、例えば卓球の打撃トレーニングを行うのに用いられる練習具の場合、図４に示すように、打撃対象の球（ボール）としてのピンポン球５１をゴム等を用いた弾性ストリング５２に接続された吊下ストリング５２Ａでロッドの先方側に吊り下げて保持している球吊設ロッド５３と、この球吊設ロッド５３をロッドの基方側で支えて水平状態で支持する支柱５４とを有する練習具本体５５と、相手方として想定する直接反射板５６と、卓球台の練習人側陣地として想定する間接反射板５７とを備えている。
【０００３】
実際のトレーニングでは、練習具本体５５の前方に直接反射板５６と間接反射板５７を直列に並べて配置する。練習者に打たれたピンポン球は、図４の中に一点鎖線で示すように、直接反射板５６に当たって跳ね返り、次に間接反射板５７に当たって練習者の手元に戻って来て、再び練習者に打たれる動作が繰り返される。
【０００４】
なお、打撃対象の球を吊り下げた球吊設ロッド５３を支柱５４で水平に支持する練習具本体を備えた練習具は、本発明の発明者による特許発明の球技練習具のにおいても知られるところである（特許文献１参照）。
【０００５】
【特許文献１】
特許公報第２９８６１５３号（第３〜７頁、図１〜図４）
【発明が解決しようとする課題】
しかしながら、上記従来の球技練習具の場合、狭い場所では十分な打撃トレーニングが行えないという問題がある。狭い場所では、球技練習具の設置スペースに加え、打球の飛翔スペースまで確保するのは困難だからである。
【０００６】
更に、特定の球技の練習のみを行うのは、そのスポーツの練習には良いが、自己の健康を良好に維持したり、ダイエット効果を期待するには永続性が必要であり、特定の球技のみの習熟を目的とする練習具では物足りなくなり、長続きしない場合が多い。
【０００７】
そこで、本発明は上記実情に鑑みてなされたものであり、その課題は、飛翔力の異なる各種のボールを用いてバラエティに富んだトレーニングを実行可能で、かつ狭い場所でも、十分な打撃トレーニングを行うことができるトレーニング用具を提供することにある。
【０００８】
【課題を解決するための手段】
上記目的は各請求項記載の発明により達成される。すなわち、本発明に係るトレーニング用具の特徴構成は、前記球吊設ロッドには、打球の動きに応じてその先方側から引き出し・引き戻し可能な弾性ストリングが前記球吊設ロッドの長手方向に沿って掛け渡されていると共に、
前記球吊設ロッドの先方側には、前記弾性ストリングの引き出し・引き戻しに伴って車輪が回転するように前記弾性ストリングが掛けられる滑車と、この滑車より基方側に位置していると共に前記弾性ストリングを通してから反転させることにより前記弾性ストリングが折り返されるように、この弾性ストリングが掛けられる折り返し用環状体とが設置されており、
さらに、前記折り返し用環状体と滑車との間に案内用環状体が設置されていて、前記弾性ストリングが前記滑車から前記案内用環状体を通り抜けて前記折り返し用環状体へ向かうと共に、前記折り返し用環状体から前記案内用環状体を通り抜けて前記滑車の方へ戻るようになっていて、更に前記折り返し用環状体と案内用環状体とが前記球吊設ロッドの長手方向に位置変更可能になっていることにある。
【０００９】
本発明者は、上記した課題解決に向けて様々な可能性を検討する過程で、球をロッドの基方側に向けて打つと、滑車の働きで弾性ストリングが打球の動きに追随して速やかに出入りし、打球がトレーニング用具の設置エリアを飛翔スペースとしてうまく飛翔する、との知見を得た。
【００１０】
したがって、本発明のトレーニング用具を用いて打撃トレーニングを行う場合、練習者は球吊設ロッドに吊り下げられた球をロッドの基方側に向けて打つと、球が飛び出てゆく時は弾性ストリングが引き出され、球が戻ってくる時は弾性ストリングが引き戻されながら打球は飛翔する。弾性ストリングは、引き出される時も、引き戻される時も、いずれも滑車によって打球の動きによく追随して速やかに出入りして飛翔する。
【００１１】
更に、折り返し用環状体と案内用環状体とが球吊設ロッドの長手方向に位置変更可能になっているので、重量や大きさの異なる種々の球を吊り下げた場合でも、球種に応じて位置変更することにより、常に円滑かつ適度な弾性ストリングの引き出し・引き戻しが可能になり、しかも打球の戻り速度を適度に制御できて、バラエティに富んだトレーニングを行うことができて、飽き難く、したがって永続性のあるトレーニングを実施できる。そして、トレーニング用具の設置エリアを打球の飛翔スペース兼用とすることができるので、打球の飛翔スペースを確保するのは容易となり、狭い場所でも、十分な打撃トレーニングを行うことができる。
【００１２】
その結果、本発明によれば、飛翔力の異なる各種のボールを用いてバラエティに富んだトレーニングを実行可能で、かつ狭い場所でも、十分な打撃トレーニングを行うことができた。
【００１３】
本発明の好ましい実施形態として、前記弾性ストリングは、前記球吊設ロッドの基方側から先方側へ延びてきて、前記滑車で基方側へ反転してから前記折り返し用環状体により先方側へ折り返し、再び前記滑車で反転して前記球吊設ロッドの基方側へ戻るように掛け渡されているのに加えて、前記案内用環状体と折り返し用環状体との間に前記打撃対象の球が吊り下げられている形態があげられる。
【００１４】
この構成によれば、弾性ストリングが往復とも案内用環状体で案内されながら滑車と折り返し用環状体の間を行き帰りするので、弾性ストリングの掛け渡しがしっかりとしたものとなり、打撃対象の球の吊り下げ状態が十分安定するうえ、また弾性ストリングが滑車から外れたりするのを確実に回避できる。
【００１５】
本発明の他の好ましい実施形態として、前記滑車は、掛けられる前記弾性ストリング同士が互いに接触しないように、前記弾性ストリング間に隔壁が設けられていることが挙げられる。
【００１６】
この構成によれば、打撃トレーニングを繰り返しても、滑車の箇所で弾性ストリング同士が互いに接触しないので、接触による消耗を回避でき、弾性ストリングの寿命を飛躍的に高めることが可能になる。
【００１７】
本発明の他の好ましい実施形態として、前記打撃対象の球は、前記折り返し用環状体と案内用環状体との間の弾性ストリングに捩り戻し機構を介して接続された吊下ストリングに吊り下げられており、この吊下ストリングが長さ方向に接続された弾性材と非弾性材から構成されていることが挙げられる。
【００１８】
この構成によれば、球を繰り返し打撃しても捩り戻し機構によって耐久性を確保でき、しかも吊下ストリングが長さ方向に接続された弾性材と非弾性材から構成されていることから、球種に応じた飛翔距離や復帰速度を適度なものに調節できるので、バラエティに富んだトレーニングを練習者の力量に応じて適正なものに維持できる。
【００１９】
本発明の他の好ましい実施形態として、前記弾性ストリングが被覆ゴムからなることが挙げられる。
【００２０】
この構成によれば、弾性ストリングはゴムのような弾性体であればよいが、特にゴムよりも伸張性が少なく、ゴムの飛翔力を抑制可能な拘束紐をゴム周囲に被覆した被覆ゴムであると、飛翔距離を制御できるようになると共に、弾性ストリングを構成するゴムの寿命を高めることができるようになる。その場合、弾性ストリングは、ゴムを束ねた外周側に上記拘束紐を被覆した構成のものでもよいし、被覆ゴムの複数本を平板状に並列に構成したものでもよい。ゴム自体は、天然ゴム、各種合成ゴムなどを使用でき、要は打撃対象の球を打撃した際に、トレーニングできる程度に飛翔可能とする伸張力を有していればよい。
【００２１】
本発明の他の好ましい実施形態として、打球が直接に当たって反射する球直接反射面を有すると共に、球直接反射面を球吊設ロッドに吊り下げられた球の方へ向けて略垂直状態で前記練習具本体の支柱の前に配置される直接反射板を備えている形態が挙げられる。
【００２２】
この構成によれば、打撃トレーニングを行う場合、練習者が直接反射板に向かって打った球が略垂直状態の反射面で跳ね返って練習者の方に戻ってくるので、直接反射板を相手に見立てることにより、相手との間で打球の応酬が交互に繰り返される球技のトレーニングを行うことができる。加えて、直接反射板はトレーニング用具の設置エリアに置かれるので、直接反射板の配置スペースを事実上必要としない。
【００２３】
本発明の他の好ましい実施形態として、打球が直接反射板の球直接反射面を介して間接的に当たって反射する球間接反射面を有すると共に、前記球吊設ロッドに吊り下げられた球と前記直接反射板との間に球間接反射面を上へ向けて略水平状態で配置される間接反射板を備えている形態が挙げられる。
【００２４】
この構成によれば、打撃トレーニングの際、練習者に打たれた球が直接反射板に当たって跳ね返り、次に間接反射板に当たって練習者の手元に戻って来るので、練習者は手元に戻って来た球を再び直接反射板に向かって打つ動作を繰り返すので、間接反射板を挟んで相手との間で打球の応酬が交互に繰り返される球技のトレーニングを行うことができる。加えて、間接反射板はトレーニング用具の設置エリアに置かれるので、間接反射板の配置スペースを事実上必要としない。
【００２５】
また、本発明の他の好ましい実施形態として、打撃対象の球がピンポン球であり、直接反射板を相手方として想定する一方、間接反射板を卓球台における練習者側陣地として想定する構成とした形態が挙げられる。
【００２６】
この構成によれば、練習者はピンポン球を相手方に見立てられた直接反射板へ打ち込む一方、卓球台の練習者側陣地に見立てられた練習者側陣地である間接反射板に当たって練習者の手元に戻ってくる返球を、練習者が再び直接反射板へ打ち込む動作を繰り返すことにより、実際のプレーに近い状態で卓球のトレーニングができる。
【００２７】
【発明の実施の形態】
本発明の実施の形態を、図面を参照して詳細に説明する。図１は本実施形態に係るトレーニング用具（以下、単に「用具」ということがある）を示す概略全体正面図である。
【００２８】
図１に示すように、この用具は、打撃対象の球の一例であるスーパーボール４を、ゴム等を用いた弾性ストリング５に接続された吊下ストリング５Ａでロッドの先方側に吊り下げて保持している球吊設ロッド２と、この球吊設ロッド２をロッドの基方側で支えて水平状態で支持する支柱３とを有する用具本体１と、打たれたスーパーボール４が直接に当たって反射する球直接反射面７を有する直接反射板６と、打たれたスーパーボール４が球直接反射面７を介して間接的に当たって反射する球間接反射面９を有する間接反射板８とを備える。直接反射板６は、球直接反射面７を球吊設ロッド２に吊り下げられたスーパーボール４の方へ向けて垂直状態で、用具本体１の支柱３の直ぐ前に配設される。間接反射板８は、球間接反射面９を上へ向けた水平状態で、球吊設ロッド２に吊り下げられたスーパーボール４と直接反射板６との間に配置される。弾性ストリング５としては、伸長率が３倍程度の被覆ゴムを用いることが好ましい。弾性ストリング５を不必要に大きく伸張させることがなく、その結果、耐久性が高くなるからである。
【００２９】
以下、この用具の各部構成を更に具体的に説明する。
用具本体１の球吊設ロッド２は、２段継ぎタイプで長手方向に伸縮自在の構成とされている。すなわち、球吊設ロッド２の場合、１段目パイプ２Ａが２段目パイプ２Ｂの先端から出入り可能に内挿されていて、２段目パイプ２Ｂの先端に固定用リング２Ｃが外挿されており、２段目パイプ２Ｂの先端が縮径する向きに固定用リング２Ｃを回す（締める）と２段目パイプ２Ｂの先端で、１段目パイプ２Ａが押さえ付けられて１段目パイプ２Ａは出入りできない状態になる一方、逆に２段目パイプ２Ｂの先端が拡径する向きに固定用リング２Ｃを回す（緩める）と、２段目パイプ２Ｂの先端による１段目パイプ２Ａの押さえ付けが解除されて、１段目パイプ２Ａは出入りできる状態になる。
【００３０】
従って、締められている固定用リング２Ｃを緩めておいて、１段目パイプ２Ａの出入り量を適当な長さに合わせて調整してから、再び固定用リング２Ｃを締めるだけで、球吊設ロッド２の長さが変更できるので、スーパーボール４の水平方向の位置を練習内容に適った位置にセットすることが簡単にできる。もとより、球吊設ロッド２の継ぎ段数は２段に限らず、３段以上としてもよい。なお、球吊設ロッド２の長さ寸法例としては、１段目パイプ２Ａと２段目パイプ２Ａが共に１４０ｃｍ程度の略同一長さで、全体で２８０ｃｍ程度が挙げられる。
【００３１】
球吊設ロッド２を支える支柱３も、２段継ぎタイプで高さ方向に伸縮自在の構成とされている。すなわち、支柱３の場合、立設用脚部３ａを下端側に付設した下段パイプ３Ｂの上端から上段パイプ３Ａが出入り可能に内挿されていて、下段パイプ３Ｂの外周の上端近傍に固定用ネジ３Ｃが付設されており、固定用ネジ３Ｃを締めると、固定用ネジ３Ｃの先端で上段パイプ３Ａが押さえ付けられて、上段パイプ３Ａは出入りできない状態になる一方、逆に固定用ネジ３Ｃを緩めると、固定用ネジ３Ｃの先端による上段パイプ３Ａの押さえ付けが解除されて、上段パイプ３Ａは出入りできる状態になる。
【００３２】
従って、締められている固定用ネジ３Ｃを緩めておき、上段パイプ３Ａの出入り量を適当な長さに合わせて調整してから、再び固定用ネジ３Ｃを締めるだけで、球吊設ロッド２の高さが変更できるので、球吊設ロッド２から吊り下げられたスーパーボール４の垂直方向の位置を練習内容に見合った位置に合わせることが容易である。もとより、支柱３も２段継ぎタイプに限らず、３段以上の伸縮自在構成とすることもできる。なお、支柱３の寸法例としては、上段パイプ３Ａと下段パイプ３Ｂを合わせて大人の背丈くらいの１８０ｃｍ程度の長さが挙げられる。
【００３３】
一方、球吊設ロッド２は、後端部に支柱３の上端部がストッパー３ｂで外れないように遊嵌自在に挿通されていて、球吊設ロッド２が支柱３の支持点を支点として、支柱３の軸周りに首振り回転可能な構成となっている。その結果、打たれたスーパーボール４の動きに追随して球吊設ロッド２が首振り運動し、スーパーボール４が球吊設ロッド２に無理やり拘束されずに済むので、スーパーボール４の飛翔を実際のプレーにおける球の飛翔に近いものにできる。
【００３４】
打撃対象のスーパーボール４を吊り下げる弾性ストリング５は、天然ゴムや合成ゴム等を用いた弾性に富むストリングである。この弾性ストリング５にスーパーボール４を下端に取り付けた吊下ストリング５Ａの上端が接続されていることにより、スーパーボール４が球吊設ロッド２に吊り下げられた状態となる。この弾性ストリングとしては、特にゴムよりも伸張性が少なく、ゴムの飛翔力を抑制可能な拘束紐をゴム周囲に被覆した被覆ゴムであると、飛翔距離を制御できるようになると共に、弾性ストリングを構成するゴムの寿命を高めることができて都合がよい。弾性ストリングは、ゴムを束ねた外周側に上記拘束紐を被覆した構成のものでもよいし、被覆ゴムの複数本を平板状に並列に構成したものでもよい。
【００３５】
そして、球吊設ロッド２には弾性ストリング５の掛け渡し方向に沿って、掛け渡し用リング１２Ａ〜１２Ｃ、滑車１２Ｄ、案内用リング（案内用環状体）１２Ｅ、折り返し用リング（折り返し用環状体）１２Ｆが設置されている。滑車１２Ｄは、弾性ストリング５の引き出し・引き戻しに伴って車輪が回転するように、弾性ストリング５が掛けられるものであり、折り返し用リング１２Ｆは、弾性ストリング５を通してから反転させることにより、弾性ストリング５が折り返されるように弾性ストリング５が掛けられるものである。折り返し用リング１２Ｆと滑車１２Ｄとの間に設置されている案内用リング１２Ｅは、弾性ストリング５が滑車１２Ｄから案内用リング１２Ｅを通り抜けて折り返し用リング１２Ｆの方へ向かうと共に、折り返し用リング１２Ｆから案内用リング１２Ｅを通り抜けて滑車１２Ｄの方へ戻るというものである。
【００３６】
さらに、案内用リング１２Ｅは掛け渡し用リング１２Ｃの下部に連設され、折り返し用リング１２Ｆは掛け渡し用リング１２Ｂの下部に連設されたかたちで設置されているが、案内用リング１２Ｅや折り返し用リング１２Ｆは、夫々掛け渡し用リング１２Ｂ，１２Ｃと別体に設置されていてもよい。
【００３７】
滑車１２Ｄは、図２に示すように、掛けられる弾性ストリング５同士が互いに接触しないように、両側端に鍔２６が付いていて、中央部の鍔２６が弾性ストリング間に設けられた隔壁に相当する。このようになっているため、打撃トレーニングを繰り返しても、滑車１２Ｄの箇所で隣接する弾性ストリング５同士が互いに接触しないので、接触による弾性ストリング５の損耗を回避でき、弾性ストリング５の寿命を飛躍的に高めることができる。滑車１２Ｄの軸２５の挿通箇所にはボールベアリングを配置することが、頻繁な弾性ストリング５の引き出し・引き戻しにも円滑な滑車１２Ｄの回転がなされて好ましい。
【００３８】
弾性ストリング５は、支柱３に取着された巻枠１３から引き出され、ゴム掛け用リング１２Ａ〜１２Ｃを引き通されながら球吊設ロッド２の基方側から先方側へ延びてきて、滑車１２Ｄで基方側へ反転したあと、案内用リング１２Ｅを通り抜けてから折り返し用リング１２Ｆで先方側へ折り返し、さらに案内用リング１２Ｅを通り抜けてから、再び滑車１２Ｄで反転してロッドの基方側へ戻るように掛け渡されている。折り返し用リング１２Ｆと案内用リング１２Ｅとの間に、スーパーボール４が吊下ストリング５Ａで吊り下げられている。ここで、掛け渡し用リング１２Ａ〜１２Ｃは、夫々個別に位置変更可能になっており、これらを位置変更することにより、吊下ストリング５Ａの弾性・非弾性構造や長さと、吊下ストリング５Ａで吊り下げられ打撃対象球の大きさ、重量、反発度など形状、性状などに基づいて、練習者の体力、運動能力などに応じたトレーニングが可能なように、又、バラエティに富んだトレーニングが可能なように、打撃球の飛翔速度や、反射板により反射された球の戻る速度を適度に制御できることになる。
【００３９】
吊下ストリング５Ａは、図３に示すように、上側の円環状ストリング５Ａ１の環に弾性ストリング５が引き通されるかたちで弾性ストリング５に接続されている。この円環状ストリング５Ａ１の下方には、捩れ戻し機構１５、ゴム製の第１ストリング５Ａ２、紐性の第２ストリング５Ａ３が接続されて構成されている。円環状ストリング５Ａ１と弾性ストリング５が接触される箇所とその近傍では、弾性ストリング５を覆う柔軟性の樹脂製環体２４が装着されていて、円環状ストリング５Ａ１と弾性ストリング５との接触による損耗を低減できるようにしている。尚、図番５Ａ４は、第１ストリング５Ａ２と第２ストリング５Ａ３との結節点を示す。
【００４０】
捩れ戻し機構１５は、２個の円環部１５Ａ，１５Ｂとこれら両円環部１５Ａ，１５Ｂの間にあって、両円環部１５Ａ，１５Ｂの一端から延設されている突起（図示省略）と遊嵌されている中間ピース１５Ｃとからなる通常構造の機構である。打撃対象の球４が、打撃を繰り返されて激しい回転を伴う場合でも、この捩れ戻し機構１５により、弾性ストリング５の局所にかかる応力集中が適度に解消され、弾性ストリング５が捩れて短くなったり、損耗したりすることが低減されて、トレーニングに支障をきたすことがないのみならず、弾性ストリング５の寿命を長くすることができる。
【００４１】
第１，第２ストリング５Ａ２，５Ａ３は、両方共がゴム等を用いた弾性ストリングでもよいし、或いは、どちらか一方が弾性ストリングであり、他方が非弾性ストリング（布製紐など）でもよいし、さらには、両方共に非弾性ストリングであってもよい。吊下ストリング５Ａの長さ寸法例としては、両ストリング５Ａ２，５Ａ３が７０ｃｍ程度の略同一長さで、全体が１４０ｃｍ程度が挙げられる。吊下ストリング５Ａの弾性・非弾性構造や長さは、球の重さ・反発度・種類あるいは球を打つ強さ（打撃の強弱）などに応じて適当に調整される。
【００４２】
もとより、吊下ストリング５Ａは、この実施形態のような１本の接続構成に限られず、２本以上の複数ストリング構成でもよいし、各接続部分に捩れ戻し機構を介在させるようにしてもよい。また、第１，第２ストリングを直線形とせず、円環形としてもよい。弾性ストリング５は、トレーニング時の球の打撃で３〜４倍ほどに伸びる弾性特性をもつものが使われ、吊下ストリング５Ａの弾性ストリングはトレーニング時の球の打撃で１〜２倍ほどに伸びる弾性特性をもつものを使うことが好ましい。
【００４３】
つぎに、直接反射板６は、所定角度をなして支柱３に取り付けられており、打撃された球４を反射可能な木製、樹脂製などの材質で形成されている。直接反射板６は、１枚の単板からなっていてもよいし、複数枚の板から構成されて夫々が僅かな角度で傾斜している構成でもよく、要は、打撃された球を間接反射板８に向けて有効に反射できればよい。
【００４４】
間接反射板８は、トレーニングの際、卓球のテーブルと類似の形状をしており、直接反射板６から反射された球４がトレーニング者に向けて反射して飛翔するように配置されている。間接反射板８の形状、大きさ等は、このトレーニング用具が配置される全体スペースやトレーニング者に見合ったものとすることができる。もとより、高さ調節可能な構成としてもよい。
【００４５】
次に、上述した構成を有する用具を使用して、トレーニングを行う状況を説明する。
【００４６】
手順(1)   練習場所の適当な位置に用具本体１を据え置き、次に球吊設ロッド２に吊り下げられたスーパーボール４と直接反射板６の間へ間接反射板８を置く。
【００４７】
手順(2)   球吊設ロッド２の長さ、支柱３の高さを練習内容に合わせて調節する。
【００４８】
手順(3)   練習者は、スーパーボール４を対戦相手としての直接反射板６へ（即ち球吊設ロッド２の基方側へ）打ち込む一方、間接反射板８に当たって練習者の手元に戻ってくる返球を、再び直接反射板６へ打ち込む動作を繰り返すことにより、反復継続トレーニングを行う。
【００４９】
以上に述べた本実施形態の用具の場合、弾性ストリング５を掛ける滑車１２Ｄと、弾性ストリング５を折り返す折り返し用リング１２Ｆとが設置されていて、弾性ストリング５が往復とも滑車１２Ｄ経由で折り返し用リング１２Ｆを行き帰りするように掛け渡されているのに加え、滑車１２Ｄと折り返し用リング１２Ｆとの間にスーパーボール４が吊り下げられているので、スーパーボール４をロッドの基方側に向けて打つと、滑車１２Ｄにより弾性ストリング５が打球の動きによく追随して速やかに出入りしながら、打球の戻り速度を早すぎないようにしつつ、トレーニング用具の設置エリアを飛翔スペースとして打球は飛翔するようになる。
【００５０】
このように、本実施形態のトレーニング用具によれば、トレーニング用具の設置エリアを打球の飛翔スペースとして兼用できる構成であるので、打球の飛翔スペース確保は容易となり、狭い場所でも、十分な打撃トレーニングが行える。加えて、本実施形態では、直接反射板６および間接反射板８を備えているので、間接反射板８を挟んでスーパーボール４の応酬トレーニングを繰り返し行うことができる。しかも、直接反射板６も間接反射板８もトレーニング用具の設置エリアに置かれるので、直接反射板６と間接反射板８を配置するスペースを別に設ける必要がない。さらに、弾性ストリング５が往復とも案内用リング１２Ｅで案内されながら滑車１２Ｄと折り返し用リング１２Ｆの間を行き帰りするので、弾性ストリング５の掛け渡しがしっかりとしたものとなり、スーパーボール４の吊り下げ状態が十分安定するうえ、弾性ストリング５が滑車１２Ｄから外れたりするのを確実に回避できる。
【００５１】
〔別実施の形態〕
（１）上記実施形態の場合、間接反射板８が用具本体１と別体の構成であったが、間接反射板８を用具本体１の支柱３に取り付けられている構成としてもよい。
【００５２】
（２）上記実施形態の場合、球吊設ロッド２は水平状態で設置されていたが、球吊設ロッド２を完全に水平状態で設置される必要はなく、水平よりやや上向き、あるいはやや下向きという略水平状態の範囲に設置されてもよい。
【００５３】
（３）上記実施形態の場合、直接反射板６は、所定角度をなして支柱３に取り付けられている例を示したが、支柱３とは別体であってもよく、角度も垂直状態で置かれていてもよく、右傾気味や左傾気味という略垂直状態の範囲で置かれてもよい。更に、直接反射板６は単板から構成されている必要はなく、角度を変えた分割反射板の組み合わせ構造として、反射球の変化を富むものとしてもよい。
【００５４】
（４）間接反射板８の球間接反射面９も水平である必要はなく、傾きをもたせて反射球の飛翔方向を変化させるものとしてもよい。
【００５５】
（５）上記実施形態の場合、打撃対象の球がスーパーボール４であったが、本発明のトレーニング用具の対象となるのは卓球、テニス、スカッシュ等の各種球も対象とすることができ、これらを予め吊下ストリングに接続しておき、これを取り替えることによりバラエティに富んだトレーニングを行うようにしてもよい。その場合、球種に応じて、掛け渡し用リング１２Ａ〜１２Ｃの位置を変更するようにして、打撃球の打撃速度、戻り速度などを、目指すトレーニングに見合ったものに制御することができる。
【図面の簡単な説明】
【図１】本発明の一実施形態に係るトレーニング用具を示す概略全体正面図
【図２】図１のトレーニング用具に用いる滑車の側面図
【図３】吊下ストリングの構成を示す模式図
【図４】従来の球技練習具を示す概略立面図
【符号の説明】
１            トレーニング用具本体
２            球吊設ロッド
３            支柱
４            スーパーボール（打撃対象の球）
５            弾性ストリング
５Ａ          吊下ストリング
６            直接反射板
７            球直接反射面
８            間接反射板
９            球間接反射面
１２Ｄ          滑車
１２Ｄ１        （滑車の）車輪
１２Ｅ          案内用リング（案内用環状体）
１２Ｆ          折り返し用リング（折り返し用環状体）
【図１】
2004187976.tif 000003
【図２】
2004187976.tif 000004
【図３】
2004187976.tif 000005
【図４】
2004187976.tif 000006